(57)【要約】      （修正有）【課題】腰、臀部及び太腿を同時にトレーニングすることができる運動機具を提供する。【解決手段】上面にパイプが設けられ、該パイプの外周壁における上部と下部に夫々１つのスリーブ１１４が環装されると共に、該パイプの両側に夫々１つの第１ころ１１２が設けられ、該各第１ころの外側近傍にそれぞれ第２ころ１４１及び第３ころ１５１が設けられるベース１０と、底面に前記ベースのパイプに枢支される枢軸が設けられるシート３０と、ベースに固定され、前記各ころに順次係回される弾性ロープ２０と、２つの押圧部材４３が嵌挿されると共に、夫々の一端が前記スリーブに固設される２本の足部支持台４０と有することを特徴とする。【選択図】図１
0003148588.tif 000002
【実用新案登録請求の範囲】
【請求項１】
上面にパイプが設けられ、該パイプの外周壁における上部と下部に夫々１つのスリーブが環装されると共に、該パイプの両側に夫々１つの第１ころが設けられ、該各第１ころの外側近傍にそれぞれ第２ころ及び第３ころが設けられるベースと、
底面に前記ベースのパイプに枢支される枢軸が設けられるシートと、
ベースに固定され、前記各ころに順次係回される弾性ロープと、
２つの押圧部材が嵌挿されると共に、夫々の一端が前記スリーブに固設される２本の足部支持台と有することを特徴とする腰臀部用運動機具。
【請求項２】
前記弾性ロープは、順次に一方の第２ころ、第１ころ及び第３ころに係回され、ベースのパイプを回り込んで、さらに順次に他方の第３ころ、第１ころ及び第２ころに係回されることを特徴とする請求項１に記載の腰臀部用運動機具。
【請求項３】
前記ベースは、連結プレートと、該連結プレートの両側に設けられる２つの支持台と、該連結プレートの後部両側における、支持台の近傍に設けられる２つのリア延出部材と該連結プレートの前部両側における、第１ころとリア延出部材の間に設けられる前記２つのフロント延出部材をさらに有し、該２つの第１ころは、間隔をおいて前記連結プレート上に設けられると共に、前記２つの第２ころは夫々リア延出部材上に設けられ、前記２つの第３ころは夫々フロント延出部材上に設けられることを特徴とする請求項１に記載の腰臀部用運動機具。
【請求項４】
前記足部支持台は、後端がベースのスリーブに固設される支持パイプと、該支持パイプの前端に設けられるローラーをさらに有することを特徴とする請求項１乃至３の何れか１項に記載の腰臀部用運動機具。
【請求項５】
前記足部支持台の支持パイプに、更に足部支持フレームが設けられることを特徴とする請求項４に記載の腰臀部用運動機具。
【請求項６】
前記ベースにはさらに、パイプを環装するための固定リングが設けられていると共に、前記弾性ロープは、該固定リングに係回されることを特徴とする請求項１に記載の腰臀部用運動機具。
【請求項７】
前記足部支持台における支持パイプの前端に更に、下端にローラーが設けられ、上端に前記足部支持フレームが設けられる連結ロッドを有することを特徴とする請求項５に記載の腰臀部用運動機具。
【請求項８】
前記支持パイプにおけるパイプの近傍に湾曲部が形成されることを特徴とする請求項４に記載の腰臀部用運動機具。
【請求項９】
前記支持パイプは、テレスコピック構造を構成する少なくとも２本のパイプからなり、前記ベースはさらに、一端が該ベースに連結され、他端に横向パイプが設けられる支持ロッドを有すると共に、該横向パイプの両端に夫々１つの取っ手が設けられていることを特徴とする請求項４に記載の腰臀部用運動機具。
【請求項１０】
前記支持ロッドにはさらに、前記弾性ロープを掛止するためのフックが設けられていることを特徴とする請求項９に記載の腰臀部用運動機具。
【請求項１１】
前記ベースの固定リングと第３ころとの間の弾性ロープ部分は第１区間であり、該第３ころと第１ころとの間の弾性ロープ部分は第２区間であり、該第１ころと第２ころとの間の弾性ロープ部分は第３区間であることを特徴とする請求項２に記載の腰臀部用運動機具。
【考案の詳細な説明】
【技術分野】
【０００１】
本考案は、特に腰、臀部及び太腿を同時にトレーニングすることができる運動機具に関するものである。
【背景技術】
【０００２】
現代人は常に仕事や時間に追われ、一日中座ったまま仕事または勉強する人の場合、特に腰や臀部、太腿などに贅肉が付き易いことから、腰、臀部、太腿などのトレーニングを強化しなければならない。しかしながら、現代人には、運動したくてもなかなか思うように体を鍛えることができないという問題が常に付きまとっている。故に近年、この問題に鑑み、運動不足を解消し、室内においても体力づくりやトレーニングができる室内用多機能運動機具が開発された。
【考案の開示】
【考案が解決しようとする課題】
【０００３】
しかしながら、従来の室内用多機能運動機具は、体積が大きいのみならず、腰や臀部、太腿をトレーニングするためには、複数の運動機具を使用しなくてはならなかった。即ち、1つの運動器具で多様なトレーニング方法を提供することはできなかった。このことから、腰や臀部、太腿などの異なる部位をトレーニングするためには、使用者は多数の運動機具を購入する必要があり、経済的ではなかった。さらに、多数の運動機具を収容するためには、一定のスペースが必要となるので、使用上非常に不便であり、実用性に優れなかった。
【０００４】
そこで、案出されたのが本考案であって、1つの運動器具で多様なトレーニング方法を提供でき、腰や臀部、太腿を同時にトレーニングすることができる腰臀部用運動機具を提供することを目的としている。
【課題を解決するための手段】
【０００５】
本願の請求項１の考案は、上面にパイプが設けられ、該パイプの外周壁における上部と下部に夫々１つのスリーブが環装されると共に、該パイプの両側に夫々１つの第１ころが設けられ、該各第１ころの外側近傍にそれぞれ第２ころ及び第３ころが設けられるベースと、
底面に前記ベースのパイプに枢支される枢軸が設けられるシートと、
ベースに固定され、前記各ころに順次係回される弾性ロープと、
２つの押圧部材が嵌挿されると共に、夫々の一端が前記スリーブに固設される２本の足部支持台と有することを特徴とする腰臀部用運動機具、を提供する。
【０００６】
本願の請求項２の考案は、前記弾性ロープは、順次に一方の第２ころ(１４１)、第１ころ及び第３ころに係回され、ベースのパイプを回り込んで、さらに順次に他方の第３ころ、第１ころ及び第２ころに係回されることを特徴とする請求項１に記載の腰臀部用運動機具、を提供する。
【０００７】
本願の請求項３の考案は、前記ベースは、連結プレートと、該連結プレートの両側に設けられる２つの支持台と、該連結プレートの後部両側における、支持台の近傍に設けられる２つのリア延出部材と該連結プレートの前部両側における、第１ころとリア延出部材の間に設けられる前記２つのフロント延出部材をさらに有し、該２つの第１ころは、間隔をおいて前記連結プレート上に設けられていると共に、前記２つの第２ころは夫々リア延出部材上に設けられ、前記２つの第３ころは夫々フロント延出部材上に設けられていることを特徴とする請求項１に記載の腰臀部用運動機具、を提供する。
【０００８】
本願の請求項４の考案は、前記足部支持台は、後端がベースのスリーブに固設される支持パイプと、該支持パイプの前端に設けられるローラーをさらに有することを特徴とする請求項１乃至３の何れか１項に記載の腰臀部用運動機具、を提供する。
【０００９】
本願の請求項５の考案は、前記足部支持台の支持パイプに、更に足部支持フレームが設けられていることを特徴とする請求項４に記載の腰臀部用運動機具、を提供する。
本願の請求項６の考案は、前記ベースにはさらに、パイプを環装するための固定リングが設けられていると共に、前記弾性ロープは、該固定リングに係回されることを特徴とする請求項１に記載の腰臀部用運動機具、を提供する。
【００１０】
本願の請求項７の考案は、前記足部支持台における支持パイプの前端に更に、下端にローラーが設けられ、上端に前記足部支持フレームが設けられる連結ロッドを有することを特徴とする請求項５に記載の腰臀部用運動機具、を提供する。
【００１１】
本願の請求項８の考案は、前記支持パイプにおけるパイプの近傍に湾曲部が形成されることを特徴とする請求項４に記載の腰臀部用運動機具、を提供する。
本願の請求項９の考案は、前記支持パイプは、テレスコピック構造を構成する少なくとも２本のパイプからなり、前記ベースはさらに、一端が該ベースに連結され、他端に横向パイプが設けられる支持ロッドを有すると共に、該横向パイプの両端に夫々１つの取っ手が設けられていることを特徴とする請求項４に記載の腰臀部用運動機具、を提供する。
【００１２】
本願の請求項１０の考案は、前記支持ロッドにはさらに、前記弾性ロープを掛止するためのフックが設けられていることを特徴とする請求項９に記載の腰臀部用運動機具、を提供する。
【００１３】
本願の請求項１１の考案は、前記ベースの固定リングと第３ころとの間の弾性ロープ部分は第１区間であり、該第３ころと第１ころとの間の弾性ロープ部分は第２区間であり、該第１ころと第２ころとの間の弾性ロープ部分は第３区間であることを特徴とする請求項２に記載の腰臀部用運動機具、を提供する。
【考案の効果】
【００１４】
本考案は上記の課題を解決するものであり、その構造は、非常に簡単で且つ軽量であり、同時に腰や臀部、太腿の内側及び太腿の外側の筋肉を効率的にトレーニングすることができると共に、使用する時には、シートに座り、弾性ロープが連結された足部支持台に足を置いた状態で、両足をそれぞれ異なる方向へ移動させれば、筋力トレーニングをすることができる。
【考案を実施するための最良の形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１は本考案に係る腰臀部用運動機具の斜視図であり、図２は本考案に係る腰臀部用運動機具の分解斜視図であり、図３は本考案に係る腰臀部用運動機具の側面図であり、図４は本考案に係る腰臀部用運動機具の部分側面拡大図であり、図５は本考案に係る腰臀部用運動機具の背面図であり、図６は本考案に係る腰臀部用運動機具の平面図であり、図７は本考案に係る腰臀部用運動機具の動作状態を示す平面図であり、図８は本考案に係る腰臀部用運動機具の他の動作状態を示す平面図であり、図９は本考案に係る腰臀部用運動機具の更に他の動作状態を示す平面図である。
【００１７】
図１に示すように、本考案に係る腰臀部用運動機具は、ベース（１０）と、弾性ロープ（２０）と、シート（３０）と、２つの足部支持台（４０）とを有するものである。
図２に示すように、前記ベース（１０）は、連結プレート（１１）と、２つの支持台（１２）と、支持ロッド（１３）と、２つのリア延出部材（１４）と、２つのフロント延出部材（１５）とを有するものである。
前記連結プレート（１１）には、固定リング（１１１）が設けられ、該固定リング（１１１）に外周壁における上部と下部に夫々１つのスリーブ（１１４）が環装されたパイプ（１１３）が枢設されている。また、前記連結プレート（１１）におけるパイプ（１１３）の両側に夫々１つの第１ころ（１１２）が所定の間隔をおいて設けられている。
前記支持台（１２）は、前記連結プレート（１１）の両側に設けられ、腰臀部用運動機具を地面に設置する時に、ベース（１０）を安定的に支持するものである。
【００１８】
図５に示すように、支持ロッド（１３）は、一端が連結プレート（１１）の後側に固設されると共に、他端が上に向かって湾曲するものである。尚、前記支持ロッド（１３）は、さらに湾曲状のフック（１６）を有するものであることが好ましい。さらに、前記支持ロッド（１３）の他端に横向パイプ（１７）が設けられていると共に、該横向パイプ（１７）の両端に夫々１つの取っ手（１８）が取り付けられる。尚、前記取っ手（１８）は、横向パイプ（１７）に対して伸縮可能で、長さを調整することができるものであっても構わない。
【００１９】
前記２つのリア延出部材（１４）は、前記連結プレート（１１）の後部両側における前記支持台（１２）の近傍に設けられるものであり、該各リア延出部材（１４）には夫々１つの第２ころ（１４１）が設けられている。
【００２０】
前記２つのフロント延出部材（１５）は、前記連結プレート（１１）の前部両側における、第１ころ（１１２）とリア延出部材（１４）との間にそれぞれ設けられるものであり、該各フロント延出部材（１５）には夫々１つの第３ころ（１５１）が設けられている。
【００２１】
図６に示すように、弾性ロープ（２０）は、一端が一方のフック（１６）に掛止された後、順次に一側の第２ころ(１４１)、第１ころ（１１２）及び第３ころ（１５１）に係回され、ベース（１０）の固定リング（１１１）を回り込んで、さらに順次に他側の第３ころ(１５１)、第１ころ（１１２）及び第２ころ（１４１）に係回され、他端が他方のフック（１６）に固定される。また、前記ベース（１０）の固定リング（１１１）と第３ころ（１５１）との間における弾性ロープ（２０）部分は第１区間（２１）とし、前記第３ころ（１５１）と第１ころ（１１２）との間における弾性ロープ（２０）部分は第２区間（２２）とし、前記第１ころ（１１２）と第２ころ（１４１）との間における弾性ロープ（２０）部分は第３区間（２３）とする。
【００２２】
図３及び図４に示すように、前記シート（３０）は、前記ベース（１０）に対して回動可能に使用者の臀部を支持するため、その底面に前記ベース（１０）のパイプ（１１３）に枢支される枢軸（３１）が設けられている。
【００２３】
前記足部支持台（４０）は、一端が前記一方のスリーブ（１１４）に固設される支持パイプ（４１）と、押圧部材（４３）と、連結ロッド（４４）と、ローラー（４５）と、足部支持フレーム（４６）とを有するものである。
【００２４】
該支持パイプ（４１）におけるパイプ（１１３）の近傍に湾曲部（４１１）が形成される。また、前記支持パイプ（４１）は、長さ調整が可能な伸縮自在のテレスコピック構造を構成する、少なくとも２本のパイプからなる。
【００２５】
前記押圧部材（４３）は、前記２つの支持パイプ（４１）が回動できるように前記湾曲部（４１１）に嵌挿されるものであり、前記弾性ロープ（２０）は、前記押圧部材（４３）に係回され、該押圧部材（４３）は、弾性ロープ（２０）における第１区間（２１）と第２区間（２２）との間に設けられている。また、前記押圧部材（４３）を一旦支持パイプ（４１）から取り外し、２つの足部支持台（４０）をそれぞれ外側に向かって移動させてから再び前記押圧部材（４３）を取り付けることにより、前記押圧部材（４３）を弾性ロープ（２０）の第３区間（２３）に位置させることができる。
【００２６】
前記連結ロッド（４４）は、前記支持パイプ（４１）の前端に設けられている。
前記ローラー（４５）は、前記足部支持台（４０）を地面において自在に回転移動できるようにするために、前記連接ロッド（４４）に設けられる。
【００２７】
前記足部支持フレーム（４６）は、使用者の足を支持するために前記連結ロッド（４４）の上端に設けられるものである。
図６及び図７に示すように、足部支持台（４０）の押圧部材（４３）を夫々弾性ロープ（２０）における第２区間（２２）に押し付けて本考案を使用する時は、先ずシート（３０）に座り、太腿に力を入れて両側の足部支持台（４０）を夫々外側に向かって移動させ、該足部支持台（４０）の押圧部材（４３）を弾性ロープ（２０）の第２区間（２２）に押付けることにより内側への方向の付勢力を発生させ、この付勢力により、太腿の外側の筋肉をトレーニングする。
【００２８】
図８に示すように、足部支持台（４０）の押圧部材（４３）を夫々弾性ロープ（２０）における第１区間（２１）と第２区間（２２）との間に押し付けて本考案を使用する時は、先ずシート（３０）に座ってベース（１０）の取っ手（１８）を握り、該シート（３０）に支持されている臀部、及び足部支持台（４０）に支持されている足を共に、右或いは左側に向かって回転移動させ、腰、臀部及び足に同時に力を入れて、一方の足部支持台（４０）の押圧部材（４３）を弾性ロープ（２０）の第２区間（２２）に押付けると共に、他方の足部支持台（４０）の押圧部材（４３）を弾性ロープ（２０）の第１区間（２１）に押付けることにより左或いは右側への付勢力を発生させ、この付勢力により、腰、臀部及び足の筋肉をトレーニングする。
【００２９】
図９に示すように、足部支持台（４０）の押圧部材（４３）を夫々弾性ロープ（２０）における第３区間（２３）に押し付けて本考案を使用する時は、先ずシート（３０）に座って、太腿で両側の足部支持台（４０）をそれぞれ内側に向かって移動させ、該足部支持台（４０）の押圧部材（４３）を弾性ロープ（２０）の第３区間（２３）に押付けることにより外側への方向の付勢力を発生させ、この付勢力により、太腿内側の筋肉をトレーニングする。
【産業上の利用可能性】
【００３０】
本考案は上記の構成を有するので、複数の押圧部材を弾性ロープの異なる部分に押し付けることにより、多様なトレーニング方法を提供することができることから、本考案に係る腰臀部用運動機具は、腰、臀部、太腿内側及び太腿外側の筋肉を効率的にトレーニングできるので、使用者の健康を促進させることができる。
【図面の簡単な説明】
【００３１】
【図１】本考案に係る腰臀部用運動機具の斜視図。
【図２】本考案に係る腰臀部用運動機具の分解斜視図。
【図３】本考案に係る腰臀部用運動機具の側面図。
【図４】本考案に係る腰臀部用運動機具の部分側面拡大図。
【図５】本考案に係る腰臀部用運動機具の背面図。
【図６】本考案に係る腰臀部用運動機具の平面図。
【図７】本考案に係る腰臀部用運動機具の動作状態を示す平面図。
【図８】本考案に係る腰臀部用運動機具の他の動作状態を示す平面図。
【図９】本考案に係る腰臀部用運動機具の更に他の動作状態を示す平面図。
【符号の説明】
【００３２】
１０ ベース
１１ 連結プレート
１１１      固定リング
１１２      第１ころ
１１３      パイプ
１１４      スリーブ
１２ 支持台
１３ 支持ロッド
１４ リア延出部材
１４１      第２ころ
１５ フロント延出部材
１５１      第３ころ
１６ フック
１７ 横向パイプ
１８ 取っ手
２０ 弾性ロープ
２１ 第１区間
２２ 第２区間
２３ 第３区間
３０ シート
３１ 枢軸
４０ 足部支持台
４１ 支持パイプ
４１１      湾曲部
４３ 押圧部材
４４ 連結ロッド
４５ ローラー
４６ 足部支持フレーム
【図１】
0003148588.tif 000003
【図２】
0003148588.tif 000004
【図３】
0003148588.tif 000005
【図４】
0003148588.tif 000006
【図５】
0003148588.tif 000007
【図６】
0003148588.tif 000008
【図７】
0003148588.tif 000009
【図８】
0003148588.tif 000010
【図９】
0003148588.tif 000011